(57)【要約】      （修正有）【課題】室内ユニット内の雑菌やかびをオゾンにより殺菌するとともに、オゾンを含む空気が室内側に漏れ出ることのない空気調和機を提供する。【解決手段】空気調和機の室内ユニット２内にオゾン発生装置１２を設けるとともに、室内ユニット２内の空気を室外に排出する排出装置１４を設け、オゾン発生装置で発生するオゾンにより室内ユニット内の雑菌やかびを殺菌するとともに、オゾンを含む空気が室内側に漏れ出ることを確実に防止する。【選択図】図２
2006349339.tif 000002
【特許請求の範囲】
【請求項１】
空気調和機の室内ユニット内にオゾン発生装置を設けるとともに、室内ユニット内の空気を室外に排出する排気装置を設けたことを特徴とする空気調和機。
【請求項２】
排気装置は、室内ユニット内に設けられていることを特徴とする請求項１に記載の空気調和機。
【請求項３】
空気調和機は、室内ユニットと室外ユニットとを有する分離型空気調和機であり、排気装置は、室外ユニットに設けられた排気ファンとこの排気ファンを室内ユニット内部を接続する排気ホースを有することを特徴とする請求項１に記載の空気調和機。
【請求項４】
室内ユニットは、内部に配置された送風ファンと熱交換器を備えるとともに、送風ファンの運転に伴って室内の空気を吸い込む吸込口と、室内に空気を吹き出す吹出口と、吹出口を開閉する吹出口開閉機構を有し、オゾン発生装置が動作している間、吹出口は吹出口開閉機構により閉じられていることを特徴とする請求項１ないし３のいずれか１項に記載の空気調和機。
【請求項５】
室内ユニットは、内部に配置された送風ファンと熱交換器を備えるとともに、送風ファンの運転に伴って室内の空気を吸い込む吸込口と、室内に空気を吹き出す吹出口と、吸込口を開閉する吸込口開閉機構を有し、オゾン発生装置が動作している間、吸込口は吸込口開閉機構により閉じられていることを特徴とする請求項１ないし４のいずれか１項に記載の空気調和機。
【請求項６】
室内ユニットは、内部に配置された送風ファンと熱交換器を備えるとともに、オゾン発生装置が排気装置による排気の流れ方向における熱交換器の上流側に配置されていることを特徴とする請求項１に記載の空気調和機。
【請求項７】
オゾン発生装置が、電気集塵機の放電電極と兼用することを特徴とする請求項１ないし６のいずれか１項に記載の空気調和機。
【請求項８】
排気装置は、オゾン発生装置が動作中に動作し、オゾン発生装置が動作終了後も所定時間動作を継続することを特徴とする請求項１ないし７のいずれか１項に記載の空気調和機。
【請求項９】
室内ユニット内にオゾン発生装置を設けるとともに、室内ユニット内を室内より負圧にする負圧発生装置を設けたことを特徴とする空気調和機。
【発明の詳細な説明】
【技術分野】
【０００１】
本発明は、室内ユニット内における雑菌やかびの繁殖を防止する空気調和機に関する。
【背景技術】
【０００２】
一般に、分離型空気調和機の室内ユニットは、吸込口および吹出口を設けたケースと、このケース内に配置された室内熱交換器と、室内熱交換器の背面側に配置された送風ファンとを具備して構成され、送風ファンを回転させることで、室内の空気を、吸込口から室内ユニット内に吸込み、吸い込んだ空気を室内熱交換器を通すことで熱交換し、熱交換した空気を吹出口から室内側に吹出すようにしている。
【０００３】
一方、分離型空気調和機の室内ユニットは、吸込口から吸い込まれた空気に含まれるごみやほこりが内部壁面や内部に設けた室内熱交換器や送風ファンに付着しやすく、特に、冷房運転停止後には、室内熱交換器で凝縮した凝縮水が室内ユニツト内で蒸発し、室内ユニット内部の湿度が高くなるため、室内ユニットの内部や室内ユニット内に設けた室内熱交換器や送風ファンに付着したごみやほこりに含まれる雑菌やかびが繁殖するという問題がある。
【０００４】
空気調和機の室内ユニットの内部に雑菌やかびが繁殖すると、空気調和機の運転時に吹出口から室内側に吹出される空気に異臭が発生したり、吹出される空気とともに雑菌やかびの胞子が室内に吹き出される可能性があり、衛生上好ましくなく、しかも、室内熱交換器や送風ファンに付着したかびが繁殖すると、繁殖したかびが通風経路の抵抗になったり、送風ファンの風量が低下し、性能の低下を招くおそれがある。
【０００５】
そこで、室内ユニット内の雑菌やかびの繁殖を防止するために、室内ユニット内にオゾン発生装置を設け、室内ユニット内のオゾン濃度を高め、オゾンによつてごみやほこりに含まれる雑菌やかびを殺す構成とした空気調和機は、特許文献１および特許文献２に記載されている。
【特許文献１】実公平４−４２６４８号
【特許文献２】実公平４−４２６４９号
【発明の開示】
【発明が解決しようとする課題】
【０００６】
上記空気調和機は、室内ユニット内に設けたオゾン発生装置により発生するオゾンにより室内ユニット内の雑菌やかびを殺菌することはできるが、室内ユニット内の雑菌やかびを確実に殺菌するためには、室内ユニット内のオゾン濃度を高くしなければならない。
【０００７】
しかし、上記空気調和機の室内ユニットは、吸込口および吹出口を空気調和のために開口しており、室内ユニット内のオゾン濃度を高めると、高い濃度のオゾンが吸込口や吹出口を通って室内側に漏れだすことになり、人体への悪影響をもたらすおそれがある。
【０００８】
一般に、室内ユニットは、空気調和のために、吸込口と吹出口が開口していることから、室内ユニット内のオゾンは簡単に室内側へ漏れだしてしまう。ここで、前述の実公平４−４２６４８号公報では、室内ユニット内のオゾンの室内側への漏れだしを防止するために、吹出口を封鎖できるようにしているが、現在の室内ユニツトの構造では、吹出口を完全に密閉することができず、室内ユニットからのオゾンの漏洩を防止することは不可能である。さらに、室内ユニットには、吹出口のみでなく、吸込口もあるため、吹出口を閉鎖しても、吸込口から室内へのオゾンの漏洩を防止することはできない。
【０００９】
本発明は，上記した点を考慮してなされたもので、室内ユニット内の雑菌やかびをオゾンにより確実に殺菌するとともに、オゾンを含む空気が室内側に漏れ出ることのない空気調和機を提供することを目的とする。
【課題を解決するための手段】
【００１０】
本発明の空気調和機は、空気調和機の室内ユニット内にオゾン発生装置を設けるとともに、室内ユニット内の空気を室外に排出する排気装置を設けることで、オゾン発生装置で発生するオゾンにより室内ユニット内の雑菌やかびを殺菌するとともに、オゾンを含む空気が室内側に漏れ出ることを確実に防止できる。
【００１１】
本発明の空気調和機は、室内ユニットと室外ユニットとを有する分離型空気調和機であり、排気装置を、室外ユニットに設けられた排気ファンとこの排気ファンを室内ユニット内部を接続する排気ホースで構成することができる。
【００１２】
本発明の空気調和機は、室内ユニットが送風ファンと熱交換器を備え、室内ユニットの吹出口を、吹出口開閉機構によりオゾン発生装置が動作している間閉じることができる。
【００１３】
本発明の空気調和機は、室内ユニットが送風ファンと熱交換器を備え、室内ユニットの吸込口を、吸込口開閉機構によりオゾン発生装置が動作している間閉じることができる。
【００１４】
本発明の空気調和機は、室内ユニットが送風ファンと熱交換器を備え、オゾン発生装置を排気装置による排気の空気の流れ方向における熱交換器の上流側に配置することができる。
【００１５】
本発明の空気調和機は、排気装置が、オゾン発生装置が動作中に動作し、オゾン発生装置が動作終了後も所定時間動作を継続するように動作し、オゾンを含む空気が室内側に漏れ出ることを確実に防止できる。
【００１６】
本発明の空気調和機は、室内ユニット内にオゾン発生装置を設けるとともに、室内ユニット内を室内より負圧にする負圧発生装置を設けることで、発生するオゾンにより室内ユニット内の雑菌やかびを殺菌するとともに、オゾンを含む空気が室内側に漏れ出ることを確実に防止できる。
【発明の効果】
【００１７】
本発明による空気調和機は、室内ユニット内に設けたオゾン発生装置から発生するオゾンにより室内ユニット内の雑菌やかびを殺菌し、排気装置により室内ユニット内のオゾンを含む空気が室内側に漏れ出ることがないようにする。
【００１８】
本発明による空気調和機は、室内ユニット内に設けたオゾン発生装置から発生するオゾンにより室内ユニット内の雑菌やかびをオゾンにより殺菌し、負圧発生装置により室内ユニット内を室内より負圧にし、室内ユニット内のオゾンを含む空気が室内側に漏れ出ることがないようにする。
【発明を実施するための最良の形態】
【００１９】
以下、本発明による空気調和機の一実施形態について、添付の図面を参照しながら説明する。  
図１において、符号１は分離型空気調和機を示し、この分離型空気調和機１は、室内の天井近くに設置された室内ユニット２と、室外に設置された室外ユニット３と、室内ユニット２と室外ユニット３を壁４に形成した開口５を介して接続する冷媒配管６とから構成されている。
【００２０】
室内ユニット２は、図２に示すように、前面中央部に吸込口７と上面に吸込口８と吸込口７より下方の前面下部に吹出口９を形成したケース１０と、このケース１０の内部に吸込口７および吸込口８に対向配置された室内熱交換器１１と、空気の流れ方向における室内熱交換器１１の上流側である室内熱交換器１１の前面側に配置されたオゾン発生装置１２と、室内熱交換器１１と吹出口９との間に配置された送風ファン１３と、ケース１０の背面下部に配置された排気装置１４とを有する。
【００２１】
オゾン発生装置１２は、電気式集塵機の放電電極と兼用されている。電気式集塵機の放電電極は、送風ファン１３が作動している間は、通電されてもオゾンの発生はほとんどなく、送風ファン１３を停止した状態で、高電圧が通電された時、放電に伴ってオゾンを発生する。オゾン発生装置１２は、電気式集塵機の放電電極と兼用ではなく、専用のオゾン発生装置であってもよい。
【００２２】
室内ユニット２は、ケース１０の上面に設けた吸込口８に吸込ルーバ１５を有する吸込口開閉機構１５が設けられ、ケース１０の前面下部に設けた吹出口９には吹出ルーバ１６ａを有する吹出口開閉機構１６が設けられている。
【００２３】
排気装置１４は、送風機１４ａと、室内ユニット２の背面から後方に突出するダクト１７とから構成されている。排気装置１４は、室内ユニット２を室内の天井近くに設置した際、ダクト１７が室外に突出するように壁４に形成した開口５を冷媒配管６とともにに挿通される。
【００２４】
図３は、室内熱交換器１１を備えた室内ユニット２と、コンプレッサ２０と四方弁２１と室外熱交換器２２と絞り装置２３を備えた室外ユニット３を冷媒配管６で接続して構成される冷凍サイクルを示す。室外ユニット３に設けた室外制御部２４は、室外ファン２５とコンプレッサ２０を制御する。室内ユニット２に設けた室内制御部２６は、送風ファン１３と送風機１４ａとオゾン発生装置１２と吸込口開閉機構１５と吹出口開閉機構１６を制御する。
【００２５】
つぎに本発明による空気調和機の作用を説明する。  
冷房運転時は、コンプレッサ２０からでる高温高圧のガス冷媒は、図３で実線で示す方向に流れ、四方弁２１から室外熱交換器２２に導かれ、室外熱交換器２２で凝縮されて液化し、絞り装置２３で膨張された後、室内熱交換器１１で蒸発されてガス化し、コンプレッサ２０に戻される。
【００２６】
冷房運転時には、室内ユニット２の吸込口８に設けられた吸込ルーバ１５ａおよび吹出口９に設けられた吹出ルーバ１６ａは、図２で点線で示す位置にあり、吸込口７および吸込口８から室内ユニット２内に吸い込まれた空気は、室内熱交換器１１を通り抜ける際に液化された冷媒との間で熱交換されて冷やされ、送風ファン１３により強制流となり、吹出口９から室内に冷風として吹き出される。
【００２７】
暖房運転時は、コンプレッサ２０からでる高温高圧のガス冷媒は、図３で点線で示す方向に流れ、四方弁２１から室内熱交換器１１に導かれ、室内熱交換器１１で凝縮されて液化し、絞り装置２３で膨張された後、室外熱交換器２２で蒸発されてガス化し、コンプレッサ２０に戻される。
【００２８】
暖房運転時には、室内ユニット２の吸込口８に設けられた吸込ルーバ１５ａおよび吹出口９に設けられた吹出ルーバ１６ａは、図２で点線で示す開いた位置にあり、吸込口７および吸込口８から室内ユニット２内に吸い込まれた空気は、室内熱交換器１１を通り抜ける際に高温高圧のガス冷媒との間で熱交換されて暖められ、送風ファン１３により強制流となり、吹出口９から室内に温風として吹き出される。
【００２９】
空気調和機の運転により、室内ユニット２の内部や室内ユニット２の内部に設けた室内熱交換器１１や送風ファン１３にごみやほこりが多量に付着した場合、ごみやほこりに含まれる雑菌やかびをオゾンにより殺菌する処理が行われる。この殺菌処理は、空気調和機の運転から停止への切り換えの都度行うことが望ましい。
【００３０】
オゾンにより殺菌処理は、図３および図４に示すように、室外制御部２４により、室外ユニット３に設けた室外ファン２５とコンプレッサ２０の運転を停止し、室内制御部２６により、室内ユニット２に設けた送風ファン１３を停止し、吸込口開閉機構１５の吸込ルーバ１５ａで吸込口８を閉じ、吹出口開閉機構１６の吹出ルーバ１６ａで吹出口９を閉じる。この場合、吸込口８および吹出口９を吸込ルーバ１５ａおよび吹出ルーバ１６ａにより完全に閉じることは構造的にできないが、吸込口８および吹出口９を吸込ルーバ１５ａおよび吹出ルーバ１６ａにより閉じることで、室内ユニット２と室内との間の空気流通通路の面積を小さくでき、室内ユニット内を負圧にするための排気装置１４の排気量を低減することができる。
【００３１】
吸込ルーバ１５ａが吸込口８を閉じ、吹出ルーバ１６ａが吹出口９を閉じるまでに要する時間、または送風ファン１３が完全に停止するまでの時間よりも長い停止時間Ｔ１が経過したら、室内ユニット２に設けた室内制御部２６は、オゾン発生装置１２と排気装置１４を作動させる。
【００３２】
オゾン発生装置１２および排気装置１４が作動すると、オゾン発生装置１２から発生したオゾンが室内ユニット２内に供給されるが、室内ユニット２内のオゾンを含む空気は、排気装置１４によりダクト１７を通って室外に排出される。そのため、室内ユニット２内は負圧になり、室内ユニット２内のオゾンを含む空気が、吸込口７，８および吹出口９を通って室内に漏れだすことはない。
【００３３】
この状態において、オゾン発生装置１２および排気装置１４を継続して作動させると、室内ユニット２内のオゾン濃度は、図５に示すように，かびや雑菌を殺菌ないし減菌できる０．０３〜０．０５ｐｐｍ程度の一定値になる。オゾン濃度は、オゾン発生装置１２の単位時間当たりのオゾン発生量と排気装置１４による単位時間当たりの排気量とにより決められる。
【００３４】
オゾン発生装置１２を所定時間Ｔ、たとえば５分程度運転することで、室内ユニット２の内部の空気に所定濃度のオゾンが含まれることになり、空気に含まれる所定濃度のオゾンにより、室内ユニット２の内部や室内ユニット２の内部に設けた室内熱交換器１１や送風ファン１３に付着するごみやほこりに含まれる雑菌やかびが殺菌される。
【００３５】
オゾン発生装置１２は、雑菌やかびが殺菌されるまでに要する所定時間Ｔ経過すると、運転を停止するが、排気装置１４は、さらに、室内ユニット２内のオゾンを含む空気のほとんどがダクト１７を通って室外に排出されるのに要する時間Ｔ２だけさらに運転を行った後止められる。
【００３６】
これにより、室内ユニット２内の雑菌やかびをオゾンにより完全に殺菌するとともに、オゾンを含む空気が室内側に漏れ出ることがない。
【００３７】
なお、上記実施の形態では、排気装置１４の排気ファン１４ａは、室内ユニット内に配置されているが、排気ファン１４ａを室外ユニット３内に配置し、ダクト１７を通して室内ユニット２内の空気を排気するようにしてもよい。
【００３８】
図６は、本発明の他の実施の形態の空気調和機１ａを示し、この空気調和機１ａは、室外ユニット３内に加湿装置３０を配置している。加湿装置３０は、加湿部３１と、加湿ファン３２と、加湿部３１と室内ユニット２内を結ぶ加湿ホース３３とを有する。
【００３９】
上記空気調和機１ａは、加湿部３１で吸着した室外空気中の水分を放出させた高温高湿空気を加湿ファン３２を用いて加湿ホース３３を通して室内ユニット２内に供給するので、加湿ホース３３内が高温高湿となり、加湿ホース３３の内壁にかびや雑菌が繁殖するおそれがあるが、加湿ホース３３を室内ユニット２内のオゾンを含む空気を排気する排気ホースと兼用することで、加湿ホース３３の内壁に繁殖するかびや雑菌を殺菌することができる。
【００４０】
この場合、排気装置を別途設けてもよいが、加湿装置の加湿ファンを吸排気可能にし、排気装置の排気ファンを兼用できる構成とすれば、部品点数の削減が可能になる。
【図面の簡単な説明】
【００４１】
【図１】本発明による空気調和機を示す図。
【図２】本発明による空気調和機の室内ユニツトの取り付け状態を示す図。
【図３】本発明による空気調和機の制御回路図。
【図４】本発明による空気調和機の制御手順を示す図。
【図５】室内ユニツト内のオゾン濃度を示す図。
【図６】本発明による空気調和機の他の実施の形態を示す図。
【符号の説明】
【００４２】
２  室内ユニット
３  室外ユニット
７  吸込口
８  吸込口
９  吹出口
１１  室内熱交換器
１２  オゾン発生装置
１４  排気装置
１５  吸込口開閉機構
１６  吸込口開閉機構
１７  ダクト
【図１】
2006349339.tif 000003
【図２】
2006349339.tif 000004
【図３】
2006349339.tif 000005
【図４】
2006349339.tif 000006
【図５】
2006349339.tif 000007
【図６】
2006349339.tif 000008